(57)【特許請求の範囲】
【請求項１】
衿部及びこの衿部に連続する前立て部を有するパジャマ上衣において、前記前立て部の両側の胸部に切り替え部を設け、前記衿部及び前立て部は伸縮性の小さなリバーシブルフライスの布地により形成し、前記切り替え部は伸縮性の大きなリブフライスの布地により形成したことを特徴とするパジャマ。
【請求項２】
衿部及び前立て部は表地と裏地からなり、衿部表地及び胸部の切り替え部には伸縮性の大きなリブフライスの布地を用い、衿部裏地には伸縮性の小さなリバーシブルフライスの布地を用いたことを特徴とする請求項１記載のパジャマ。
【請求項３】
前立て部の左右の重ね合せ部は相互に係着自在としたことを特徴とする請求項１記載のパジャマ。
【請求項４】
衿部は、前立て部の左右の重ね合せ部に連続し、かつ、ハイカラーに形成し、スタンドカラーとして使用できるようにしたこととを特徴とする請求項１又は２記載のパジャマ。
【発明の詳細な説明】
【０００１】
【発明の属する技術分野】
本発明は、就寝時や休養時に着用するパジャマに関するものである。
【０００２】
【従来の技術】
一般に、パジャマは、就寝時や休養時に着用することから、袖周り、肩周り、首周り、足首周りは締付けないように緩やかな形状になっているものが多い。また、着脱時に頭部を出し入れする、いわゆる「かぶり」タイプのパジャマは、頭部の出し入れを容易にするために、衿元が大きく開いていたり、伸縮性の大きな布地で形成されているものが多い。
一方、外気の侵入を防いで保温性を高めることを目的としたパジャマでは、衿部をハイカラーに形成し、いわゆるスタンドカラーの形状としている場合が多い。そして、このスタンドカラーを２つ折り自在とするために、スタンドカラーの前部或いは側部に衿スナップ、衿ファスナ等を設けている場合が多い。
本出願人による既登録実用新案（第３０５２９５３号）に係るかぶりタイプのパジャマ上衣１０の衿部１６は、図６に示すように、巾の広い立て衿を形成し、締付け感の緩和及び保温性を考慮して、この衿部には伸縮率の高いリブ編みの布地のみを使用していた。そして、図７に示すように立て衿として使用したり、図８に示すように首周りから数ｃｍ程度のところで２つ折りにして使用していた。
【０００３】
【発明が解決しようとする課題】
従来のパジャマ及び本出願人による既登録のパジャマには、以下の問題点があった。
【０００４】
従来のパジャマ上衣は、首周りに余裕をもたせた形状に作成されていた。このため、首周りの隙間が広くなるので、これらの隙間から外気が入り込み、気温が低い場所等で着用する場合は身体を冷やして安眠を妨害する原因となっていた。
特に、前述の「かぶり」タイプのパジャマでは、着用時の頭部の出入りが容易になるように首周りを大きく開けたり伸縮性の大きな布地を使用していたので、より外気が入り込みやすかった。しかし逆に、首周りからの外気の侵入を遮断するために衿元を小さくしたり伸縮性のない布地を使用すると、今度は頭部の出し入れによる着脱が困難になったり、強く引っ張るためにパジャマが破損する、等の弊害の原因にもなっていた。
【０００５】
一方、外気の侵入を防ぐことを目的としたパジャマ上衣は、衿部をスタンドカラーとしているものが多いが、この衿部を途中から２つ折り自在とするために、衿部の前面または側面の衿元から顎部までに衿スナップや衿ファスナ等を形成していた。
よって、特にうつぶせに寝たときなどに衿スナップや衿ファスナー等が首に当たって冷たさや不快感が生じたり、ファスナを閉めるときに顎を挟む危険が生じたりしていた。
【０００６】
図６に示すパジャマ上衣は、衿部１６を首周りに沿って途中から２つ折り自在に形成されており、寒さが厳しいときには、衿部１６を立てて（立て衿として）使用可能とすることにより保温性を確保していた。しかし、前記衿部１６は伸縮性の大きなリブフライスの布地のみを用いて形成されていたので、横方向の引っ張りにより布地が伸びきってしまい、元に戻りづらくなっていた。
このため、衿部１６は、横方向に強く引っ張ったり、洗濯を繰り返すことにより布地が伸び、図７に示すような立て衿の状態であっても、また、図８に示すような衿部１６を２つ折りにした状態でも、波を打ったような首元が広く開いた形状となってしまうので、外気が入り込んでしまったり、元の形状に戻らなくなり見た目も悪くなるという欠点があった。
【０００７】
本発明の目的は、かぶりタイプのパジャマ上衣において、衿部が２つ折り自在で、横方向の力にも強く、洗濯等によっても形崩れせず、かつ着脱時の頭部の出し入れが容易なものを提供することである。
【０００８】
【課題を解決するための手段】
本発明によるパジャマ上衣１０は、遠赤外線を放射するセラミックス練り込み糸から編成される布地を使用して形成するが、これに限られるものではない。
パジャマ上衣１０の衿部１６は伸縮性の大きなリブフライスの布地を衿部表地１１に、伸縮性の小さなリバーシブルフライスの布地を衿部裏地１２に使用し、２枚の布を重ね合せて形成する。また、衿部１６は、前立て部１３の上部に連続するように形成する。
パジャマ上衣の前立て部の両側の胸部には切り替え部１５を設け、ここに伸縮性の大きなリブフライスの布地を使用する。
パジャマ上衣１０の袖部１７はラグラン袖にする。
このような構成とすることにより、パジャマ上衣に頭部を通して着脱するときに、切り替え部は収縮するが、衿部や前立て部はほとんど収縮しない。そのため、特に衿部１６が伸びて波打つようなことがない。
【０００９】
【発明の実施の形態】
以下、本発明の一実施例を図面に基づき説明する。
本発明のパジャマは、パジャマ上衣１０、パジャマ下衣２０ともに布地には遠赤外線を放射するセラミックス練り込み糸から編成されるナイロン生地及びセラミックス練り込み糸から編成されるリバーシブルフライス（クラレ社製）混紡綿を使用する。
この場合のセラミックス練り込み糸はポリエステルにセラミックスパウダーを１０％以内混合し、ノズルより抽出して糸にしたものである。また、セラミックスはセラミック鉱物質を酸化物にして熱処理したものにシリコン及びマグネシウム等を添加したものである。
なお、本発明のパジャマに使用される布地は、必ずしも遠赤外線を放射する糸によって編成されたものでなくてもよい。
【００１０】
前記パジャマ上衣１０は、以下のように形成する。
図１において、パジャマ上衣１０の喉元から胸部にかけての前立て部１３は、左右とも２枚重ねとなっていて、複数個の前立てスナップ１４が設けられ、この前立て部１３から、首周りに１０ｃｍ（着丈の１割）程度の高さを有する折畳み自在の衿部１６を設ける。この前記前立て１３と衿部１６は表裏２枚の布を重ね合せて形成したもので、衿部表地１１には伸縮性の大きなリブフライス（リブ編み）の布地を使用し、衿部裏地１２には伸縮性の小さなリバーシブルフライスの混紡綿の布地を使用する。また、この衿部１６は前立て部１３の形状の延長部分として形成され、衿部を立てたときには、左右の衿部１６が顎下部分まで重なり合うような形状をなす。
【００１１】
前記パジャマ上衣１０の上胸部、すなわち、前立て部１３の左右であって衿部１６の下方部には、伸縮性の大きなリブフライスの布地のみを使用して伸縮自在の切り替え部１５を形成する。また、パジャマ上衣１０の袖部１７の付け根部分から脇部までを斜めに切り替えて形成するラグラン袖とする。
前記切り替え部１５は、パジャマ上衣１０の前面のみに形成され、その形状は、図１に示すように、前面の袖付け根部分から両脇のラグラン袖のラインに沿った斜め形を両側辺とし、衿付け根から前立て部１３の空きどまりまでを高さとする二等辺三角形をなす。そして、図１に示すように衿部１６を立てた場合は、切り替え部１５の布地及び衿部表地１１と前立て部１３の表地の布地が同一となることにより見た目に統一感が生じるようになっている。
なお、前記衿部裏地１２に用いられるリバーシブルフライスの布地はパジャマ上衣１０の表面に用いるものと同一のものとし、衿部１６を２つ折りにしたときに衿部裏地１２がパジャマ表面と同一の布地（絵柄）が表面となるようにしている。
【００１２】
本発明の使用方法及び作用は以下のとおりである。
パジャマ上衣１０は、衿部１６から頭部を通し、左右袖部１７にそれぞれ腕を通して着用する。
ここで、衿部１６に頭部を通すときは、衿部１６には伸縮性の小さなリバーシブルフライスの布地が使用されているためほとんど伸びないが、代わりに、切り替え部１５には伸縮性の大きなリブフライスの布地が使用されているため、着用によりこの切り替え部１５が伸びて頭部が容易に通過し、着用後は縮んで元のサイズに戻る。
首部を締付けたくない場合や暑い場合は、図２及び３に示すように、衿部１６を２つ折りにして衿部裏地１２を表出させて使用する。このとき、図２に示すように前立てスナップ１４を閉じたまま衿部裏地１２を２つ折りにすると首元があまり開かず、図３に示すように前立てスナップ１４を開けて衿部裏地１２を２つ折りにすると首元が大きく開かれる。また、寒く首元を閉じたい場合は、図１に示すように、前立てスナップ１４を閉じ衿部１６を立てて、立て衿として使用する。
【００１３】
なお、パジャマ下衣２０については、以下の問題点があった。
従来のパジャマ下衣はウエスト部にゴムを通して形成されたものが多かったが、着用者は身長等に合うサイズのパジャマを購入しても、ウエストサイズが大きい場合はゴムの長さが足りず圧迫感を生じ、また、ウエストサイズが小さい場合はゴムが長すぎてずり落ちてしまうという事態が生じていた。そしてこのような場合はゴムを付け替えなければならず、手間や費用等がかかっていた。
また、ゴムは長期の使用によりだんだん劣化し、ゆるんできた場合は交換しなければならないが、特に、上記のようにウエストサイズが大きくゴムの長さが足りない場合は、ゴムの劣化も早く交換までの期間も短くなってしまっていた。
【００１４】
そこで、本発明によるパジャマ下衣２０は、以下のように形成する。
図４において、パジャマ下衣２０のウエスト部２１は、ウエスト部２１の裏側に設けたゴム挿入口２３にゴム２２を挿入してなるものとするが、このゴム２２の長さ調整具として、ゴム２２の一端部には１個のオス型スナップ２４を設け、他端には、端部から数ｃｍの間隔を空けて複数個のメス型スナップ２５を設けて、前記オス型スナップ２４を任意のメス型スナップ２５に係着自在とする。
【００１５】
パジャマ下衣２０は、その左右足部にそれぞれ足を入れて着用する。
そして、ウエスト部２１は、着用者のウエストサイズに合わせて以下のように調節する。
オス型スナップ２４とメス型スナップ２５を係着しない状態で、または係着した状態でパジャマ下衣２０を着用し、着用後に、オス型スナップ２４を着用者のウエストサイズに最も適合する位置にあるメス型スナップ２５に係着する。このとき、着用者により、また、同一着用者であっても好みにより係着するメス型スナップ２５を変更することによってそのときどきに適合したゴム２２の周長に調整することができる。
【００１６】
図１〜３に示す実施例では、衿部１６の衿部表地１１には伸縮性の大きなリブフライスの布地を用い、衿部裏地１２には伸縮性の小さなリバーシブルフライスの布地を用いたが、本発明はこれに限られるものではなく、衿部表地１１・衿部裏地１２ともに伸縮性の小さなリバーシブルフライスの布地を用いてもよい。
【００１７】
図１に示す実施例では、胸部の切り替え部１５を前身頃のみに形成したが、本発明はこれに限られるものではなく、後ろ身頃の相当位置に同様の形状の切り替え部１５を形成してもよい。
【００１８】
図４及び５に示す実施例では、パジャマ下衣２０のウエスト部２１をゴム２２及びオス型スナップ２４とメス型スナップ２５を用いて形成したが、本発明はこれに限られるものではなく、オス型スナップ２４・メス型スナップ２５の代わりにボタンとボタンホールやオス型・メス型のホック等を使用してもよい。
【００１９】
【発明の効果】
本発明は、パジャマ上衣１０の衿部裏地１２をリバーシブルフライスの布地で形成した代わりに、上胸部に切り替え部１５を設けて、この切り替え部１５をリブフライスの布地で形成した。
よって、胸部の布地に伸縮力が生じるので、着脱時はこの胸部１５が伸びて頭部の出し入れが容易となり、着脱時の締付け感が緩和されるし、着用後には胸部１５は縮んで元通りの形状となる。また、胸囲の大きい人であっても、胸部の締付け感をあまり感じずに着用できる。
【００２０】
また、本発明のパジャマ上衣１０の衿部１６は、衿部表地１１には伸縮性の大きな布地を使用し、衿部裏地１２には伸縮性の小さな布地を使用した。よって、衿部１６は、衿部表地と衿部裏地の両面に伸縮性の大きなリブフライスの布地を使用したものと比較すると横方向からの引っ張りに強いので、衿部１６を引っ張ったり、パジャマ上衣１０を洗濯しても衿部１６の形が崩れることがなく、見た目の低下も防ぐことができる。また、衿部１６の形が崩れて首元が開いたままとなることにより、外気が入り込んで身体を冷やしてしまうような欠点もなくなる。
【００２１】
前記衿部１６は、前立て部１３の延長となるような形状に形成されている。
よって、左右衿部は顎下まで重なり合い、立て衿として使用したときにも折れ曲がることがない。よって、立て衿の全面または側面にスナップやファスナ等を形成しなくてもよいので、就寝時等にスナップやファスナが首に当たるといった不快感も起こらないし、ファスナを締め上げるときに顎を挟んでしまう危険もない。
また、前記衿部１６は、前立てスナップ１４を閉じたまま折り曲げると衿部１６のみが折れ曲がって首元の開きが小さくなるが、前立てスナップ１４を開けたまま折り曲げると前立て部１３も折れ曲がるので首元の開きが大きくなる。よって、前立てスナップの開閉によって首元の開き具合を調整することができる。
【００２２】
衿部１６と前立て部１３は、表地と裏地からなり、衿部表地１１、前立て部１３の表地及び切り替え部１５には伸縮性の大きな布地を用い、衿部裏地１２及びパジャマ上衣１０の大部分を構成する布地は伸縮性の小さな布地で形成されているので、衿部１６を立て衿として使用したときに表に現れるのは伸縮性の大きな布地で、衿部１６を２つ折りにして使用するときに表に現れるのは伸縮性の小さな布地であるので、見た目の変化を持たせたり、統一感を持たせることができる。
【図面の簡単な説明】
【図１】本発明によるパジャマ上衣の一実施例を示す正面図である。
【図２】本発明によるパジャマ上衣の前立て部のスナップを閉じ、かつ、衿部を２つ折にした状態を示す正面図である。
【図３】本発明によるパジャマ上衣の前立て部のスナップを外し、かつ、衿部を２つ折にした状態を示す正面図である。
【図４】本発明によるパジャマ下衣のウエスト部の一実施例を示す一部の正面図である。
【図５】本発明によるパジャマ下衣のウエストゴム及びオス型・メス型スナップを示す正面図である。
【図６】従来のパジャマ上衣の一実施例を示す正面図である。
【図７】着古した従来のパジャマ上衣であって、衿部を立ち衿としたときの正面図である。
【図８】着古した従来のパジャマ上衣であって、衿部を２つ折にしたときの正面図である。
【符号の説明】
１０…パジャマ上衣、１１…衿部表地、１２…衿部裏地、１３…前立て部、１４…前立てスナップ、１５…切り替え部、１６…衿部、１７…袖部、１８…衿スナップ、１９…衿ファスナ、２０…パジャマ下衣、２１…ウエスト部、２２…ゴム、２３…ウエストゴム挿入口、２４…オス型スナップ、２５…メス型スナップ。
【図１】
0003657219.tif 000002
【図２】
0003657219.tif 000003
【図３】
0003657219.tif 000004
【図４】
0003657219.tif 000005
【図５】
0003657219.tif 000006
【図６】
0003657219.tif 000007
【図７】
0003657219.tif 000008
【図８】
0003657219.tif 000009